(57)【特許請求の範囲】
【請求項１】
格納箱の前面開口端を前方に向かって起伏回動自在な扉体により開閉自在に閉止し、この扉体の背面にホース収納箱を一体に取付けて該扉体を伏動させることによりホース収納箱を格納箱から前方に倒して該ホース収納箱内からホースを引き出すようにした消火装置において、上記ホース収納箱は上端が開口した一定高さの平面横長長方形状のホース収納空間部を有し、このホース収納空間部内に断面円形状のホースを下端から上方に向かって一重の螺旋状に巻き上げ収納して該ホースの基端部を上記扉体の背面に装着している給水栓弁に接続していると共に先端部をホース収納空間部の上記上端開口部から引き出してその先端に取付けているノズルをホース収納空間部の上方側に着脱自在に配設していることを特徴とする消火装置。
【請求項２】
上記ホース収納箱は、平面横長長方形状の底面板とホース引出口を有する上面板とを扉体の背面の下端部と上端部とに夫々固着すると共にこれらの上面板と底面板における両側部間と背面間とに縦枠部材を固着してなり、この縦枠部材と上記扉体の背面とで囲まれた空間部で上記ホース収納空間部を形成していることを特徴とする請求項１に記載の消火装置。
【請求項３】
扉体の両側下端部を上記格納箱の両側板の対向面下端部に回動自在に枢着していると共に一方の枢着部の軸線上に給水管と接続した回転継手を配設してこの回転継手にホース収納箱の一側に沿って配設した給水短管の下端を接続し、この給水短管の上端を扉体の背面上端部に配設した上記給水栓弁を介してホース収納箱の下端から該ホース収納箱の外側面に沿って上方に引き出しているホースの基端部に接続したことを特徴とする請求項１に記載の消火装置。
【請求項４】
扉体の背面上端部に上記ホースの先端ノズルを着脱自在に支持した挟持金具を取付けていることを特徴とする請求項１に記載の消火装置。
【発明の詳細な説明】
【０００１】
【発明の属する技術分野】
本発明は建築物の通路壁や橋、トンネル、公共施設などに設置する消火装置、特に、トンネル内での火災発生時における消火活動に適した消火装置に関するものである。
【０００２】
【従来の技術】
トンネル内のように比較的狭小な場所では消火装置の設置場所に制限を受けるために小規模な消火設備を必要とする一方、トンネル内での自動車事故等により発生する火災は燃焼速度が速いために素早い消火活動が行える消火装置が要望されている。このような要望を満たすために、従来から、トンネル内の車道の両側に監査路を設けてこの監査路に面した側壁に図５に示すような消火装置を埋め込み状態で設置している。
【０００３】
この消火装置の構造は、装置箱Ａの前面に蓋体Ｂを前方に向かって起伏回動自在に取付けていると共にこの蓋体Ｂに中空軸Ｃの前端を固着して該中空軸ＣにリールＤを回転自在に支持させ、リールＤに巻装したホースＥの基端を上記中空軸Ｃに連結した回転継手Ｆと給水栓弁Ｇを介して給水管（図示せず）に接続してなるもので、火災発生時には扉体Ｂを前傾方向に回動させて倒すことにより該扉体Ｂの背面に装着しているリールＤを装置箱Ａから前方に露出させ、該リールＤに巻装しているホースＥを引き出すことによって消火活動を行うようにしている。
【０００４】
【発明が解決しようとする課題】
しかしながら、この消火装置ではホースＥを巻回した回転リールを使用しているために、該リールＤの回転機構やその回転にもかかわらずホースＥに円滑に給水できるようにするための複雑な機構を必要として高価につくという問題点がある。さらに、ホースＥは弾力性を有する断面円形状のホースであり、このホースＥをリールＤに内周側から外周側に向かって多列、多重層に巻装しているため、外周側のホースＥがその弾性復元力によって拡がり、形崩れが生じてリールＤに整然と巻装しておくことが困難であるばかりでなく、消火時において給水栓弁Ｇを開放してホースＥに消火水を流入させた時に、その水圧で内層側のホースＥが拡径方向に膨張して外層側のホース間に食い込み、ホースＥの繰り出しが円滑に行われなくなる場合が生じて迅速性を必要とする消火活動に支障をきたすという問題点がある。
【０００５】
さらに、消火作業が終了したのち、ホースＥをリールＤに多列、多重層に巻層すると、ホースＥ内に残存している消火水がホース内に滞留し、水抜きが行えないという問題点が生じるものである。
【０００６】
本発明はこのような問題点に鑑みてなされたもので、その目的とするところは構造が簡単で且つトンネルの壁面等の狭いスペースにコンパクトに設置し得ると共にホース収納箱内へのホースの収納が整然と安定した形態となるように収納でき、さらに、消火活動時には一定の引き出し力によって格納箱から円滑にホースを繰り出すことができる上に迅速な消火活動を可能にし、その上、消火作業が終了して格納箱内に収納した際にはホース内の水抜きが自動的に行われる消火装置を提供するにある。
【０００７】
【課題を解決するための手段】
上記目的を達成するために本発明の請求項１に係る消火装置は、格納箱の前面開口端を前方に向かって起伏回動自在な扉体により開閉自在に閉止し、この扉体の背面にホース収納箱を一体に取付けて該扉体を伏動させることによりホース収納箱を格納箱から前方に倒して該ホース収納箱内からホースを引き出すようにした消火装置において、上記ホース収納箱は上端が開口した一定高さの平面横長長方形状のホース収納空間部を有し、このホース収納空間部内に断面円形状のホースを下端から上方に向かって一重の螺旋状に巻き上げ収納して該ホースの基端部を上記扉体の背面に装着している給水栓弁に接続していると共に先端部をホース収納空間部の上記上端開口部から引き出してその先端に取付けているノズルをホース収納空間部の上方側に着脱自在に配設してなる構造を有している。
【０００８】
上記の構造を有する消火装置において、請求項２は上記ホース収納箱の構造に係る発明であって、平面横長長方形状の底面板とホース引出口を有する上面板とを扉体の背面の下端部と上端部とに夫々固着すると共にこれらの上面板と底面板における両側部間と背面間とに縦枠部材を固着してなり、この縦枠部材と上記扉体の背面とで囲まれた空間部によって上記ホース収納空間部を形成してなるものである。
【０００９】
さらに、上記請求項１に記載の消火装置において、請求項３に係る発明は、上記扉体はその両側下端部を上記格納箱の両側板の対向面下端部に回動自在に枢着していると共に一方の枢着部の軸線上に給水管と接続した回転継手を配設してこの回転継手にホース収納箱の一側に沿って配設した給水短管の下端を接続し、この給水短管の上端を扉体の背面上端部に配設した上記給水栓弁を介してホース収納箱の下端から該ホース収納箱の外側面に沿って上方に引き出しているホースの基端部に接続したことを特徴としている。
【００１０】
また、請求項４に係る発明は、扉体の背面上端部に上記ホースの先端ノズルを着脱自在に支持した挟持金具を取付けていることを特徴としている。
【００１１】
【作用】
格納箱の扉体の背面に一体に取付けているホース収納箱は、そのホース収納空間部を平面横長長方形状の偏平な形状に形成しているので、格納箱の形状も前後方向の幅が小さい偏平形状に形成することができてトンネルの壁面等の狭いスペースにコンパクトに設置し得ると共にホース収納箱のホース収納空間部にホースを一重の螺旋状に巻き上げ状態で収納しているので、ホースが拡径方向に妄動したり上下のホース同士が絡み合うことなく整然と安定した状態で収納しておくことができる。
【００１２】
そして、火災発生時に格納箱の扉体を前方に倒して格納箱を開放させると、ホース収納箱も扉体と一体的に前方に倒れてその上端のホース引出口を格納箱から前方に向けた状態になると共に扉体を前方に倒すとホース引出口の上方側に配設しているホースの先端ノズルと蓋体の背面に装着している給水栓弁とが格納箱から前方に突出した状態となって給水栓弁の開弁操作が素早く行え、ノズルの取り出しも迅速に行えて直ちに消火活動を開始することができる。
【００１３】
さらに、ホース引出口は上述したように格納箱から前方に向かって開口した状態となっていると共にホースが収納箱のホース収納空間部に一重の螺旋状に巻き上げ状態で収納され且つその基端部側から給水されるので、給水による圧力でホースが引出口側に押圧されてその引き出しが小さい一定の引出力でもって軽快に且つ確実に行うことができる。
【００１４】
また、消火作業が終了してホースを格納箱内に収納する場合には、ホースを収納箱の内壁面に弾接させながら内底部から順次上方に向かって一重に螺旋巻きしていけばよいので、簡単に収納することができると共にホース内に残存している消火水は螺旋巻きされたホース内を上端側から下端側に向かって流下し、該ホースの基端を消火栓弁から取り外すことによってその基端開口部から排出させることができる。
【００１５】
【発明の実施の形態】
本発明の実施の形態を実施例を示す図面について説明すると、図１において、１は長方形状の天面板1aと底面板1b及び両側面板1c、1cとで正面矩形状の枠体を形成すると共にこの枠体の後側開口部を背面板1dによって閉止してなる格納箱で、内部を後述するホース収納箱４を収納する横断面横長長方形状の格納室２に形成していると共に前端開口部を扉体３によって開閉自在に閉止している。この格納箱１の前端開口部に対する上記扉体３の枢着構造としては、該扉体３の両側端面の下端部をピン（図示せず）を介して格納箱１の両側面板1c、1cにおける対向面上端前部に枢着してなり、従って、該扉体３は格納箱１から前方に向かって起伏回動自在に取付けられているものである。
【００１６】
この扉体３の背面には内部に上端が開口し且つ四隅の壁面が凸円弧状に湾曲した一定高さの平面横長長方形状のホース収納空間部５を有するホース収納箱４が取付けられている。このホース収納箱４は中央部に横長長円形状のホース引出口６を設けている平面横長長方形状の上面板4aと、この上面板4aと略同大、同形状に形成された底面板4bと、これらの上面板4aと底面板4bとの背面側の端面における中央部に架設状態でその上下端を固着している一定長さの背面側縦枠部材4cと、上面板4aと底面板4bとの両側端面の前後部にその上下端をそれぞれ固着している側方縦枠部材4d、4eとからなり、上面板4aと底面板4bの前端面を扉体３の背面上端部と下端縁とにそれぞれ固着することにより、上面板4aと底面板4bとの対向面間における扉体の背面と上記縦枠部材4c〜4eとで囲まれた空間部によって上記ホース収納空間部５を形成している。
【００１７】
なお、上面板4aと底面板4bとの四隅部が凸円弧状の湾曲端面に形成されている一方、上記両側方に配設している前後縦枠部材4d、4eはこれらの湾曲端面に沿って平面方向に湾曲した一定幅の縦長長方形状の湾曲板よりなり、従って、上記ホース収納空間部５の四隅部内壁面は上面板4aと底面板4bの四隅部間を連結している縦枠部材4d、4eの湾曲内面によって形成されている。
【００１８】
ホース収納箱４の収納空間部５内に収納されたホース７は適度な弾性を有するゴム、合成樹脂等よりなる断面円形のホースであり、湾曲させた際には元の直状に復帰しようとする弾性復元力を有している。このホース７はホース収納箱４の底面板4bの上面から上方に向かって収納空間部５の四方内壁面、即ち、縦枠部材4c〜4eの内面と蓋体３の背面に圧接させながら一重の螺旋状に巻き上げることによって収納されている。
【００１９】
このホース７の基端部7aはホース収納箱４の一側壁面を形成している側方の前後縦枠部材4d、4eの下端間を通じて外部に引き出されてこれらの前後縦枠部材4d、4e間の隙間から露出している螺旋巻き状に収納した上記ホース部分に沿って上方に延出させてあり、その上端を扉体３の背面一側上端部に取付けられている開閉コック8aを有する給水栓弁８の吐出口側に接続している一方、収納空間部５内の上端部まで螺旋巻きされたホース７の先端部7bはホース収納箱４の上端引出口６から上方に引き出されてその先端に取付けているノズル９を扉体３の背面上端部中央に固着している二股クリップ形状の弾性挟持金具10に着脱自在に挟持させている。
【００２０】
ホース収納箱４の収納空間部５内に対するホース７の収納態様を詳しく説明すると、まず、直径32mmで長さが30ｍ程度のホース７の基端部7aを上述したように一側方の前後縦枠部材4d、4eの下端間を通じて外部に引き出して上方に起立させることによりその上端開口部を給水栓弁８に接続する一方、収納空間部５内においては底面板4b上で基端部7aに連続するホース部分を一巻き状に湾曲させて収納空間部５の内壁面に圧接させることにより図３に示すように平面横長長円形状の最下段ホース部を形成し、引き続いてこの最下段ホース部に連続するホース部分を上方側に向かって一巻き螺旋状に巻き上げて該最下段ホース部上に２段目の平面横長長円形状ホース部を積み重ねて形成し、以下、同様にしてホース７を上方に向かって連続螺旋状に巻き上げることにより上下に隣接する平面横長長円形状のホース部が互いに重なり合った一重螺旋巻き状に積み重ね収納しているものである。
【００２１】
このように収納されたホース７の最上段のホース部は収納箱４の上面板4aの外周部下面近傍部に達しており、該最上段のホース部から延長するホースの先端部を引出口６から上方に引き出してその先端部に装着したノズル９を上記挟持金具10に着脱自在に挟持させているものである。
【００２２】
11は上記格納箱１の一側面板1cの前部内面に沿って縦方向に配設した給水管で、その上端部を格納箱１から外部に延出させて給水源に接続していると共に下端部を上記扉体３の一方の枢着部の軸線上に配設した回転継手12を介してホース収納箱４の一側面に沿って扉体３の背面一側部に縦方向に取付けた給水短管13の下端に連結、連通させてあり、さらにこの給水短管13の上端を上記給水栓弁８の流入口側に接続している。図２において、14は扉体３の背面両側方に配設したダンパで、その下端を格納箱１の両側面板1c、1cの対向面に枢着し、そのプランジャの先端を扉体３の背面上端部に枢着して扉体３の開閉動作を緩衝的に行わせるものである。
【００２３】
上記のように構成した消火装置は例えば、図４に示すようにトンネル15内の車道16の両側に設けられている監査路17に面した側壁に沿って格納箱１を設置するか、或いは該側壁に格納箱１を埋め込み状態にして設置し、平常時には扉体３を閉止しておく。そしてトンネル内で火災が発生した場合、該扉体３を手前に引き寄せてその下端部両側の枢着部を中心として前方に回動させることにより、図１及び図２に示すように、扉体３を格納箱１の前端開口部の下端部から前方に向かって水平状態となるように倒し、監査路17上に支持させた状態とする。
【００２４】
この状態にすると、扉体３の背面に装着しているホース収納箱４も扉体３と一体的に監査路17上に横置され且つそのホース引出口６を前方、即ち、車道16側に向けて開口させた状態となると共に扉体３の背面上端部と一側上端部とにそれぞれ配設しているノズル９と給水栓弁８とがホース収納箱４から前方側に露出した状態となり、給水栓弁８のコック8aを直ちに開放操作することができると共にノズル７を挟持金具10から素早く取り外すことができる。
【００２５】
給水栓弁８のコック8aを開放させると、給水管11側から回転継手12及び給水短管13内を通じてホース７の基端部7b内に消火水が流入し、さらにホース収納箱４の収納空間部５内に一重螺旋巻き状に収納されているホース７の基端側から先端側のノズル９に向かって流動する。一方、挟持金具10から取り外したノズル９を把持してホース７を引っ張ると、ホース収納空間部５内に一重螺旋状に巻装、収納されているホース７は、ホース収納箱４の引出口６から繰り出されるようにして順次連続的に規則正しく引き出される。この際、一重螺旋巻きしたホース７内には消火水が該ホース７の基端側から先端側に向かって流入するので、その流入圧によって螺旋巻きしたホース７が引き出し方向に押圧され、従って、ホース７を僅かな引き出し力でもって軽快且つ円滑に引き出しながら消火活動を行うことができる。
【００２６】
なお、ホース７を最大長、引き出した時には、ホース収納箱４の一側外面に沿って起立状態で延出しているホースの基端部1bがホース収納箱４の収納空間部５内の螺旋巻きホース部分が引き出されたのち、ホース収納箱４の一側壁面を形成している側方の前後縦枠部材4d、4e間から収納空間部５内に入り、引出口６からその大部分が引き出された状態となる。
【００２７】
消火作業が終了してホース７をホース収納箱４の収納空間部５内に収納するには、給水栓弁８に接続しているホース７の基端部7aをホース収納箱４の一側外面に沿って配設すると共に該基端部7aに連なるホース部分を一側方の前後縦枠部材4d、4e間から収納空間部５内に入れ、上述したように、ホース収納箱４の底面板4b上に一巻き状に湾曲させて平面横長長円形状の最下段ホース部を形成し、引き続いてこの最下段ホース部に連続するホース部分を順次上方側に向かって螺旋状に巻き上げたのち、ホース先端部を引出口６から上方に延出させてノズル９を挟持金具10に装着すればよい。このようにホース収納箱４の収納空間部５内にホース７を収納したのち、ホース収納箱４の一側外面に沿ったホース基端部7aをコック8aによって閉止されている給水栓弁８から取り外すと共に扉体３を起立回動させると、ホース７内に残存する消火水が該ホース内を流下した基端部7aの開口端から排出される。排出後、ホース基端部7aを給水栓弁８に接続し、扉体３を閉止しておく。
【００２８】
なお、以上の実施例においては、ホース収納箱４の前側壁面を扉体３の裏面によって形成したが、ホース収納箱４を上記上面板4aと底面板4bとの四方外周端間を背面側縦枠部材4cと側方縦枠部材4d、4e及び前側縦枠部材（図示せず）によって連結、固着してなる単一の収納箱に形成し、この収納箱を扉体３の背面に一体に固着するか、或いは取り外し可能に取付けるように構成しておいてもよい。
【００２９】
【発明の効果】
以上のように本発明の請求項１に係る消火装置によれば、格納箱の開口端に起伏回動自在に取付けている扉体の背面に、平面横長長方形状のホース収納空間部を有するホース収納箱を一体に取付けているので、格納箱も前後方向に幅狭い平面横長長方形状に形成しておくことができ、従って、トンネルの壁面等の狭いスペースにコンパクトに設置し得ると共に上記ホース収納箱のホース収納空間部にホースを一重の螺旋状に巻き上げ状態で収納しているので、ホースが拡径方向に妄動したり上下のホース同士が絡み合うことなく整然と安定した状態で収納しておくことができるものである。
【００３０】
さらに、火災発生時に格納箱の扉体を前方に倒して格納箱を開放させると、ホース収納箱も扉体と一体的に前方に倒れてその上端のホース引出口を格納箱から前方に向けた状態にすることができるから、ホースの引出しが円滑に行えるものであり、その上、該ホース引出口から延出したホースの先端部に取付けているノズルとホースの基端部を接続している給水栓弁とを上記扉体の背面に配設しているので、扉体を倒すとこれらのノズルと給水栓弁も格納箱から前方に突出した状態となって該給水栓弁の開弁操作が素早く行え、ノズルの取り出しも迅速に行えて直ちに消火活動を開始することができる。
【００３１】
また、ホース引出口は上述したように格納箱から前方に向かって開口した状態となっていると共にホースが収納箱のホース収納空間部に一重の螺旋状に巻き上げ状態で収納され且つその基端部側から給水されるので、給水による圧力でホースが引出口側に押圧されるから、小さな一定の引き出し力でもって軽快に引き出して消火活動を行うことができる。
【００３２】
さらにまた、消火作業が終了してホースを格納箱内に収納する場合には、ホースを収納箱の内壁面に弾接させながら内底部から順次上方に向かって一重に螺旋巻きしていけばよいので、簡単に収納することができると共にホース内に残存している消火水は螺旋巻きされたホース内を上端側から下端側に向かって流下し、該ホースの基端を消火栓弁から取り外すことによってその基端開口部から排出させることができる。
【００３３】
請求項２に係る発明によれば、上記ホース収納箱は、平面横長長方形状の底面板とホース引出口を有する上面板とを扉体の背面の下端部と上端部とに夫々固着すると共にこれらの上面板と底面板における両側部間と背面間とに縦枠部材を固着してなるものであるから、従来のリール方式の消火装置に比べて構造が極めて簡単であり、製作が容易な消火装置を安価に提供できる。その上、請求項３に係る発明のように、給水管に対するホースの接続構造も簡易化され、長期間の設置にもかかわらず故障の生じ難い消火装置を提供できるものである。
【図面の簡単な説明】
【図１】ホース収納箱を前方に倒した状態の斜視図、
【図２】その簡略平面図、
【図３】ホース収納箱の収納空間部内に収納しているホースの簡略縦断側面図、
【図４】トンネル内に設置した状態の簡略斜視図、
【図５】従来例を示す簡略斜視図。
【符号の説明】
１  格納箱
３  ホース収納箱
５  収納空間部
６  ホース引出口
７  ホース
８  給水栓弁
９  ノズル
10  挟持金具
11  給水管
12  回転継手
13  給水短管
【図１】
0003866400.tif 000002
【図２】
0003866400.tif 000003
【図３】
0003866400.tif 000004
【図５】
0003866400.tif 000005
【図４】
0003866400.tif 000006